(57)【要約】本発明は、圧縮映像の色温度を推定し、ユーザの好む色温度によって圧縮映像の色温度を変換する方法及びシステムを開示する。本発明による色温度変換システムは、原映像をブロック単位でＤＣＴ変換して圧縮した圧縮映像を入力され、圧縮映像に対応するＤＣ映像を生成し、ＤＣ映像を利用して圧縮映像の色温度を推定する色温度推定装置と、圧縮映像を復号化して原映像を生成する復号化器と、圧縮映像が動画像であるか否かによって推定された圧縮映像の色温度または復号化された原映像の色温度を適用色温度として決定し、適用色温度及びユーザから入力された選好色温度によって復号化された原映像の色温度を変換する色温度変換装置と、を含む。
2005532006.tif 000002
【特許請求の範囲】
【請求項１】
圧縮映像の色温度を推定し、前記圧縮映像の色温度を変換する色温度変換システムであって、
原映像をブロック単位でＤＣＴ変換して圧縮した圧縮映像を入力されて、前記圧縮映像に対応するＤＣ映像を生成し、前記ＤＣ映像を利用して前記圧縮映像の色温度を推定する色温度推定装置と、
前記圧縮映像を復号化して前記原映像を生成する復号化器と、
前記圧縮映像が動画像であるか否かによって前記推定された圧縮映像の色温度または前記復号化された原映像の色温度を適用色温度として決定し、前記適用色温度及びユーザから入力された選好色温度によって、前記復号化された原映像の色温度を変換する色温度変換装置と、を含むことを特徴とする色温度変換システム。
【請求項２】
前記色温度推定装置は、
前記原映像の各ブロックの画素値の平均を表す圧縮映像の各ブロックのＤＣ係数値を抽出し、前記ＤＣ係数値を一つの画素値として、前記画素値より構成されるＤＣ映像を生成するＤＣ映像抽出部と、
前記ＤＣ映像の色温度から前記圧縮映像全体の色温度を推定する色温度推定部と、を含むことを特徴とする請求項１に記載の色温度変換システム。
【請求項３】
前記圧縮映像が静止画像または内部コーディングされた動画像である場合に、
前記各ブロックのＤＣ係数値は、前記各ＤＣＴブロックの（０,０）座標のＤＣＴ係数値に所定の定数値を乗算した値であることを特徴とする請求項２に記載の色温度変換システム。
【請求項４】
前記圧縮映像がフレーム間にコーディングされた動画像である場合に、
当該フレームの前記各ブロックのＤＣ係数値は、当該フレームのブロックが以前フレームのブロックで参照する面積に対する前記以前フレームの参照されるブロックの面積の比率、及び前記以前フレームの参照されるブロックのＤＣ係数値によって計算されることを特徴とする請求項２に記載の色温度変換システム。
【請求項５】
前記色温度変換装置は、
前記圧縮映像が動画像であるか否かによって前記推定された圧縮映像の色温度または前記復号化された原映像の色温度を適用色温度として決定する適用色温度決定部と、
ユーザ選好色温度を受信し、前記適用色温度及び前記ユーザ選好色温度によって前記復号化された原映像の色温度を変換する色温度変換部と、を備えることを特徴とする請求項１に記載の色温度変換システム。
【請求項６】
前記適用色温度決定部は、
前記圧縮映像がフレーム間にコーディングされた場合に、当該フレームのＤＣ映像推定色温度と以前フレームのＤＣ映像推定色温度との第１色温度差を所定の第１臨界値と比較して、前記第１色温度差が前記第１臨界値より大きくなければ、以前フレームの適用色温度に補正関数値を加算して当該フレームの適用色温度を決定することを特徴とする請求項５に記載の色温度変換システム。
【請求項７】
前記適用色温度決定部は、
前記圧縮映像がフレーム間にコーディングされた場合に、当該フレームのＤＣ映像推定色温度と以前フレームのＤＣ映像推定色温度との第１色温度差を所定の第１臨界値と比較して、前記第１色温度差が前記第１臨界値より大きければ、
前記復号化器から復号化された当該フレームを受信して復号化された当該フレームの色温度を推定し、前記当該フレームのＤＣ映像推定色温度と前記復号化された当該フレームの推定色温度との間の第２色温度差を計算して所定の第２臨界値と比較し、
前記第２色温度差が前記第２臨界値より大きくなければ、前記当該フレームのＤＣ映像推定色温度を当該フレームの適用色温度に決定することを特徴とする請求項５に記載の色温度変換システム。
【請求項８】
前記適用色温度決定部は、
前記圧縮映像がフレーム間にコーディングされた場合に、当該フレームのＤＣ映像推定色温度と以前フレームのＤＣ映像推定色温度との第１色温度差を所定の第１臨界値と比較して、前記第１色温度差が前記第１臨界値より大きければ、
前記復号化器から復号化された当該フレームを受信して復号化された当該フレームの色温度を推定し、前記当該フレームのＤＣ映像推定色温度と前記復号化された当該フレームの推定色温度との第２色温度差を計算して所定の第２臨界値と比較し、
前記第２色温度差が前記第２臨界値より大きければ、前記復号化された当該フレームの推定色温度を当該フレームの適用色温度に決定することを特徴とする請求項５に記載の色温度変換システム。
【請求項９】
前記当該フレームの圧縮映像推定色温度と以前フレームの圧縮映像推定色温度との第１色温度差、及び前記復号化された当該フレームの推定色温度と前記当該フレームの圧縮映像推定色温度との第２色温度差は、それぞれの色温度の逆数に所定の係数を乗算した値の差であることを特徴とする請求項６ないし８のうち何れか１項に記載の色温度変換システム。
【請求項１０】
前記第１及び第２臨界値は、２００°Ｋであることを特徴とする請求項６ないし８のうち何れか１項に記載の色温度変換システム。
【請求項１１】
圧縮映像の色温度を推定し、前記圧縮映像の色温度を変換する色温度変換方法であって、
（ａ）原映像をブロック単位でＤＣＴ変換して圧縮した圧縮映像に対応するＤＣ映像を生成し、前記ＤＣ映像を利用して前記圧縮映像の色温度を推定する段階と、
（ｂ）前記圧縮映像を復号化して前記原映像を生成する段階と、
（ｃ）前記圧縮映像が動画像であるか否かによって前記推定された圧縮映像の色温度または前記復号化された原映像の色温度を適用色温度として決定し、前記適用色温度及びユーザから入力された選好色温度によって前記復号化された原映像の色温度を変換する段階と、を含むことを特徴とする色温度の変換方法。
【請求項１２】
前記（ａ）段階は、
（ａ１）前記原映像の各ブロックの画素値の平均を表す圧縮映像の各ブロックのＤＣ係数値を抽出し、前記ＤＣ係数値を一つの画素値として、前記画素値より構成されるＤＣ映像を生成する段階と、
（ａ２）前記ＤＣ映像の色温度から前記圧縮映像全体の色温度を推定する段階と、を含むことを特徴とする請求項１１に記載の色温度の変換方法。
【請求項１３】
前記（ａ）段階は、
前記圧縮映像が静止画像または内部コーディングされた動画像である場合に、
前記各ＤＣＴブロックの（０,０）座標のＤＣＴ係数値に所定の定数値を乗算して前記各ブロックのＤＣ係数値を求め、前記各ブロックのＤＣ係数値を一つの画素値として、前記画素値より構成される前記ＤＣ映像を生成する段階を含むことを特徴とする請求項１２に記載の色温度の変換方法。
【請求項１４】
前記（ａ）段階は、
前記圧縮映像がフレーム間にコーディングされた動画像である場合に、
当該フレームのブロックが以前フレームのブロックで参照する面積に対する前記以前フレームの参照されるブロックの面積の比率、及び前記以前フレームの参照されるブロックのＤＣ係数値によって当該フレームの前記各ブロックのＤＣ係数値を求め、前記ＤＣ係数値を一つの画素値として、前記画素値より構成される前記ＤＣ映像を生成する段階を含むことを特徴とする請求項１２に記載の色温度の変換方法。
【請求項１５】
前記（ｃ）段階は、
（ｃ１）前記圧縮映像が動画像であるか否かによって前記推定された圧縮映像の色温度または前記復号化された原映像の色温度を適用色温度として決定する段階と、
（ｃ２）ユーザ選好色温度を受信し、前記適用色温度及び前記ユーザ選好色温度によって前記復号化された原映像の色温度を変換する段階と、を含むことを特徴とする請求項１１に記載の色温度の変換方法。
【請求項１６】
前記（ｃ１）段階は、
（ｃ１１）前記圧縮映像がフレーム間にコーディングされた場合に、当該フレームの圧縮映像推定色温度と以前フレームの圧縮映像推定色温度との第１色温度差を所定の第１臨界値と比較する段階と、
（ｃ１２）前記第１色温度差が前記第１臨界値より大きくなければ、以前フレームの適用色温度に補正関数値を加算して当該フレームの適用色温度を決定する段階と、を含むことを特徴とする請求項１５に記載の色温度の変換方法。
【請求項１７】
前記（ｃ１）段階は、
（ｃ１１）前記圧縮映像がフレーム間にコーディングされた場合に、当該フレームの圧縮映像推定色温度と以前フレームの圧縮映像推定色温度との第１色温度差を所定の第１臨界値と比較する段階と、
（ｃ１３）前記第１色温度差が前記第１臨界値より大きければ、前記復号化された当該フレームを受信して復号化された当該フレームの色温度を推定し、前記当該フレームの圧縮映像推定色温度と前記復号化された当該フレームの推定色温度との第２色温度差を計算して所定の第２臨界値と比較する段階と、
（ｃ１４）前記第２色温度差が前記第２臨界値より大きくなければ、前記当該フレームの圧縮映像推定色温度を当該フレームの適用色温度として決定する段階と、を含むことを特徴とする請求項１５に記載の色温度の変換方法。
【請求項１８】
前記（ｃ１）段階は、
（ｃ１１）前記圧縮映像がフレーム間にコーディングされた場合に、当該フレームの圧縮映像推定色温度と以前フレームの圧縮映像推定色温度との第１色温度差を所定の第１臨界値と比較する段階と、
（ｃ１３）前記第１色温度差が前記第１臨界値より大きければ、前記復号化された当該フレームを受信して復号化された当該フレームの色温度を推定し、前記当該フレームの圧縮映像推定色温度と前記復号化された当該フレームの推定色温度との第２色温度差を計算して所定の第２臨界値と比較する段階と、
（ｃ１５）前記第２色温度差が前記第２臨界値より大きければ、前記復号化された当該フレームの推定色温度を当該フレームの適用色温度として決定する段階と、を含むことを特徴とする請求項１５に記載の色温度の変換方法。
【請求項１９】
前記当該フレームの圧縮映像推定色温度と以前フレームの圧縮映像推定色温度との間の第１色温度差、及び前記復号化された当該フレームの推定色温度と前記当該フレームの圧縮映像推定色温度との第２色温度差は、それぞれの色温度の逆数に所定の係数を乗算した値の差であることを特徴とする請求項１６ないし１８のうち何れか１項に記載の色温度の変換方法。
【請求項２０】
前記第１及び第２臨界値は、２００°Ｋであることを特徴とする請求項１６ないし１８のうち何れか１項に記載の色温度の変換方法。
【請求項２１】
請求項１１、１２及び１５のうち何れか１項の色温度の変換方法をコンピュータで実行可能なプログラムコードで記録した記録媒体。
【発明の詳細な説明】
【技術分野】
【０００１】
本発明はディスプレイ装置の色温度を変換させる方法及びシステムに係り、具体的に、本発明は圧縮映像の色温度を推定し、ユーザが好む色温度によって圧縮映像の色温度を変換する方法及びシステムに関する。
【背景技術】
【０００２】
色温度は、黒鉛のような黒色の放射体に温度を加えつつ、適切な温度になれば放出する視覚的な可視エネルギーを計量化したものであって、映像に対して人間が感じる温冷の程度を定量化するのに使われる。ケルビン温度（Ｋ°）で表示される色温度は、物体が固有な色を表す時の摂氏温度に絶対温度（２７３°）を加算したもので表現される。色温度は、映像の座標系が光源の色座標系に変換された後、変換された色座標系によって求められた照明色によって計算される。
【０００３】
一般的に、色温度の高い映像は、全体的に青色光を帯び、色温度の低い映像は、全体的に赤色光を帯びるが、個人の好む色温度はそれぞれ別に現れる。
【０００４】
米国特許公開第４,５６２,４６０号公報、第４,６３３,２９９号公報、及び第４,７８８,５８６号公報に開示されたように、従来には映像の色温度をユーザの好む色温度に変換するために、ＴＶやモニターが色相や、ＲＧＢ（Ｒｅｄ,Ｇｒｅｅｎ,Ｂｌｕｅ）の量を可変させうる調節端子を備えるようにすることによって、調節端子を利用してユーザが直接任意の映像または場面の色温度を自身の好む色温度に調節できるようにした。
【０００５】
しかし、多様な内容の動画像を視聴する度に、ユーザが色温度を調節することは非常に不便である。また、このように色相を変化させる方法は、変換された映像が特定な色フィルタを通過したような感じを与える傾向があって、再現される映像の自然さが低下する問題がある。
【０００６】
色温度を変換させる他の方法で、米国特許公開第６,１７２,７１９号公報は、色度感知装置を付着して表示装置周辺の輝度、色などを感知し、表示装置の色温度を自動変換する方法を開示する。この方法は、映像自体の特性に関係なく周辺環境によって色温度を変換するため、周辺環境による視聴者の気持ち調節には適しているが、映像内容物の色温度の特性による色温度の変換とは関係ない。一般的に、ＴＶまたはモニターのような映像表示装置を見る環境はあまり変わらずに一定した一方、映像の内容物はさらに多く変わるので、各個人の好む色温度があることを考慮する時、映像内容物の変化によって色温度を変化させる必要がある。
【０００７】
このような必要に応じて、米国特許公開第４,６８５,０７１号公報及び第５,４９５,４２８号公報、韓国特許出願第１９９８−５３１１９号は、映像で色温度（照明色）を推定する方法を開示し、推定された色温度を利用して映像の色温度を、ユーザの好む色温度に一括変換する方法が韓国特許出願第１９９９−５０５９６号に開示された。
【０００８】
しかし、これら方法は、各画素毎に行列乗算演算を行う色温度の推定過程を経なければならないため、これをユーザ端末装置に適用する場合、行列演算による相当な計算負荷が発生して映像出力性能を低下させるか、または性能向上のためのコストが高くなる問題がある。さらに、色温度の変換対象である映像が圧縮動画像である場合には、圧縮された動画像を完全に復号化しなければならないが、圧縮された動画像を復号化する過程も相当な演算負荷が発生し、したがって、実行時間が長くなる問題がある。
【発明の開示】
【０００９】
本発明は前記問題点を解決するために、色温度の変換対象映像がＭＰＥＧ圧縮動画像のようなブロック基盤のＤＣＴ変換を利用した圧縮映像である場合、色温度の推定時に圧縮映像を完全に復号化して得た映像を利用する代わりに、圧縮映像のＤＣ成分から得られたＤＣ映像で色温度の推定を実行して、色温度の推定過程の演算対象となる画素数を減少させ、色温度の推定過程の処理速度を向上させる。また、色温度の推定過程の処理速度を向上させることによって、全体色温度の変換過程の処理速度を向上させる。
【００１０】
前記課題を解決するための本発明の色温度変換システムは、原映像をブロック単位でＤＣＴ（Ｄｉｓｃｒｅｔｅ Ｃｏｓｉｎｅ Ｔｒａｎｓｆｏｒｍａｔｉｏｎ）変換して圧縮した圧縮映像を入力されて、圧縮映像に対応するＤＣ映像を生成し、ＤＣ映像を利用して圧縮映像の色温度を推定する色温度推定装置と、圧縮映像を復号化して原映像を生成する復号化器と、圧縮映像が動画像であるか否かによって推定された圧縮映像の色温度または復号化された原映像の色温度を適用色温度として決定し、適用色温度及びユーザから入力された選好色温度によって復号化された原映像の色温度を変換する色温度変換装置と、を含む。
【００１１】
また、前述した色温度変換システムの色温度推定装置は、原映像の各ブロックの画素値の平均を表す圧縮映像の各ブロックのＤＣ係数値を抽出し、ＤＣ係数値を一つの画素値として、画素値より構成されるＤＣ映像を生成するＤＣ映像抽出部、及びＤＣ映像の色温度から圧縮映像全体の色温度を推定する色温度推定部を含み、前述した色温度変換システムの色温度変換装置は、圧縮映像が動画像であるか否かによって推定された圧縮映像の色温度または復号化された原映像の色温度を適用色温度として決定する適用色温度決定部、及びユーザ選好色温度を受信し、適用色温度及びユーザ選好色温度によって復号化された原映像の色温度を変換する色温度変換部を備えることが望ましい。
【００１２】
一方、前述した課題を解決するための本発明の色温度の変換方法は、（ａ）原映像をブロック単位でＤＣＴ変換して圧縮した圧縮映像に対応するＤＣ映像を生成し、ＤＣ映像を利用して圧縮映像の色温度を推定する段階と、（ｂ）圧縮映像を復号化して原映像を生成する段階と、（ｃ）圧縮映像が動画像であるか否かによって推定された圧縮映像の色温度または復号化された原映像の色温度を適用色温度として決定し、適用色温度及びユーザから入力された選好色温度によって復号化された原映像の色温度を変換する段階と、を含む。
【００１３】
また、前述した色温度変換方法の（ａ）段階は、（ａ１）原映像の各ブロックの画素値の平均を表す圧縮映像の各ブロックのＤＣ係数値を抽出し、ＤＣ係数値を一つの画素値として、画素値より構成されるＤＣ映像を生成する段階、及び（ａ２）ＤＣ映像の色温度から圧縮映像全体の色温度を推定する段階を含み、前述した色温度変換方法の（ｃ）段階は、（ｃ１）圧縮映像が動画像であるか否かによって推定された圧縮映像の色温度または復号化された原映像の色温度を適用色温度として決定する段階、及び（ｃ２）ユーザ選好色温度を受信し、適用色温度及びユーザ選好色温度によって復号化された原映像の色温度を変換する段階を含むことが望ましい。
【図面の簡単な説明】
【００１４】
【図１】図１は、本発明による圧縮映像の色温度変換システムの構成を示すブロック図である。
【図２】図２は、本発明の色温度の推定及び色温度の変換過程を説明したフローチャートである。
【図３Ａ】図３Ａは、本発明の圧縮映像及び抽出されたＤＣ映像を示す図面である。
【図３Ｂ】図３Ｂは、本発明のフレーム間のコーディングされた圧縮映像からＴＵＤＣ映像を抽出する方法を示す図面である。
【図４】図４は、本発明の適用色温度を決定する過程を説明したフローチャートである。
【発明を実施するための最良の形態】
【００１５】
以下、添付された図面を参照して本発明の望ましい実施例を説明する。
【００１６】
図１は、本発明による圧縮映像の色温度変換システムの構成を示すブロック図である。
【００１７】
本発明の圧縮映像の色温度変換システムは、入力された圧縮映像から色温度を推定する色温度推定装置１０、圧縮された入力映像を復号化する復号化器３０、及び入力されたユーザ選好色温度によって復号化された映像の色温度を変換する色温度変換装置２０を含む。
【００１８】
また、本発明の色温度推定装置１０は、入力された圧縮映像からＤＣ映像を抽出するＤＣ映像抽出部１１及びＤＣ映像から圧縮映像全体の色温度を推定する色温度推定部１２を含む。
【００１９】
また、本発明の色温度変換装置２０は、入力された圧縮映像が静止画像であるか動画像であるかを判断して推定された色温度から色温度変換に利用する適用色温度を決定する適用色温度決定部２１と、適用色温度及びユーザ選好色温度によって復号化された入力圧縮映像の色温度を変換する色温度変換部２２とを含む。
【００２０】
以下、図１及び図２を参照して、本発明の色温度推定過程及び変換過程を説明する。
【００２１】
図２は、本発明の色温度推定過程及び色温度変換過程を説明したフローチャートである。
【００２２】
図１に示されたように、圧縮映像は、ＤＣ映像抽出部１１及び復号化器３０に入力されるが、本発明で、圧縮映像とは、ＭＰＥＧ１、２及び４のようなブロック基盤ＤＣＴを利用して圧縮された静止画像あるいは動画像を意味する（Ｓ２００）。
【００２３】
ＤＣ映像抽出部１１は、入力された圧縮映像が静止画像または内部コーディングされた動画像である場合に、入力された圧縮映像の各ＤＣＴブロックのうち（０,０）座標に位置したＤＣＴ係数値を定数倍（望ましくは、１／８）したＤＣ係数値を一つの画素値に設定することによって、入力された圧縮映像でＤＣ映像を生成する。ＤＣＴブロックのうち（０,０）の座標に位置したＤＣＴ係数値は、そのＤＣＴブロックに該当する原映像の画素値の平均を表すので、１個の座標値のみでもブロック内の全体画素値の平均を求めることができる。したがって、入力された圧縮映像がＮ×Ｎサイズのブロックより構成されれば、抽出されたＤＣ映像は、復号化された映像画素数の１／Ｎ2倍の画素サイズを有する映像となる。
【００２４】
図３Ａを参照して具体的に説明する。説明の簡略化のために、図３の左側に示された圧縮映像は、１６個のＤＣＴブロックより構成されると仮定すれば、１６個のそれぞれのブロックで（０,０）座標位置のＤＣＴ係数値に所定の値を定数倍して一つのＤＣ映像にマッピングすれば、図３Ａに示されたように、右側映像は、１６個の画素値を有する４×４サイズの一つのＤＣ映像として抽出される。結果的に、原映像の１／Ｎ2倍の画素数を有する縮少されたＤＣ映像で全体映像の色温度を推定できる。
【００２５】
但し、当該ブロックがＭＰＥＧのイントラフレームのように内部コーディングされた場合であれば、ブロックの（０,０）座標値をそのまま取れば良いが、フレーム間コーディングされた場合には、現在フレームのＤＣ係数値を抽出するブロックが、参照するブロックから推定された値をＤＣ映像の画素値として取ることができる。
【００２６】
図３Ｂを参照して、本発明のフレーム間コーディングされた圧縮映像からＤＣ映像を抽出する方法を説明する。
【００２７】
まず、現在フレームが、以前のフレームを参照して符号化されたと仮定すれば、現在フレームのＤＣ値抽出対象ブロックの映像が、以前フレームの１ブロック映像と正確に一致する場合には、以前フレームのＤＣＴブロックの（０,０）座標のＤＣＴ係数値をそのまま使用する。しかし、現在フレームのＤＣ値抽出対象ブロックの映像が、以前フレームの複数個のＤＣＴブロックに掛けられていれば、以前ブロックに現在ＤＣ値抽出対象ブロックの映像が掛けられた面積の比率によってＤＣ値を決定する。すなわち、現在ＤＣ値を抽出するブロックＢrefの映像が以前フレームの４個のブロックＢ１，Ｂ２，Ｂ３，Ｂ４に掛けられており、現在フレームが参照されるブロックで占める面積の比率は、Ｗi＝（Ｂref∩Ｂiの面積）／（Ｂiの面積）であり、ＢiのＤＣ値をＤＣiといえば（ｉ＝１，２，３，４）、ＢrefブロックのＤＣ値は、
2005532006.tif 000003
で計算されうる。
【００２８】
このように生成されたＤＣ映像は、色温度推定部１２に入力され、色温度推定部１２は、生成されたＤＣ映像の色温度を推定する（Ｓ２２０）。入力されたＤＣ映像は、映像のサイズが大幅縮少されたという点を除外すれば、一般的な映像と大きい差がないので、色温度推定部１２での色温度の推定は、映像に対する一般的な色温度の推定方法によっても行われうる。
【００２９】
本発明で、ＤＣ映像が色温度推定部１２に入力されれば、入力された映像からハイライト領域を抽出する。抽出された各ハイライト領域を色度座標に投影して、色度座標上に分布する形に対する幾何学的な表現変数を計算して入力されたＤＣ映像の平均値を計算する。ＤＣ映像の平均値に所定の係数を乗算して自体発光しきい値に設定し、ＤＣ映像から自体発光しきい値を超える色度座標値を有する自体発光領域を除去し、自体発光領域が除去されたＤＣ映像の平均値から認知光源方式による照明色度を計算することによって照明色度を推定する。推定された照明色度の周囲に位置した所定数の幾何学的な表現変数を選択し、選択された幾何学的な表現変数を利用して最終色温度を推定する。
【００３０】
ＤＣ映像から推定された色温度は、適応的色温度変換装置２０に入力されて、適用色温度決定部２１で入力された推定色温度を圧縮映像の色温度変換に利用するか否かを決定し、この時、復号化器３０は、圧縮映像の当該フレームを復号化する（Ｓ２３０）。
【００３１】
図４を参照して、適用色温度の決定過程を詳細に説明する。
【００３２】
適用色温度決定部２１は、復号化器３０から圧縮映像を入力されて色温度変換対象である圧縮映像が動画像であるか否かを判断する（Ｓ２３１）。圧縮映像が単一静止画像である場合に、適用色温度決定部２１は、入力されたＤＣ映像の推定色温度を適用色温度に決定する（Ｓ２３２）。
【００３３】
一方、圧縮映像が動画像である場合に、現在映像フレーム（ｋ番目のフレーム）のＤＣ映像の推定色温度ＴDC（ｋ）と以前フレームのＤＣ映像の推定色温度ＴDC（ｋ−１）との差を計算した後、この差を第１臨界値ｋ１と比較する（Ｓ２３４）。
【００３４】
一般的な動画像の各フレームは、類似した場面が連続的に表示されるので、各映像のフレーム色温度も多少の差はあるが、類似した色温度が維持されなければならないことが分かる。したがって、映像を視聴した時、人間があまりぎごちなさを感じないほどの色温度差を第１臨界値ｋ１（本発明の望ましい実施例で２００°Ｋ）に設定し、現在フレームのＤＣ映像の推定色温度ＴDC（ｋ）と以前フレームのＤＣ映像の推定色温度ＴDC（ｋ−１）との差が第１臨界値ｋ１より小さければ、現在フレームの適用色温度値Ｔ（ｋ）は、以前フレームの適用色温度値Ｔ（ｋ−１）に所定の補正関数値を加算して計算される（Ｓ２３５）。
【００３５】
但し、本発明で、臨界値と比較される色温度値の差は、色温度差測度関数Ｄ（ｔ１,ｔ２）を利用して求める。Ｄ（ｔ１,ｔ２）は、２つの色温度ｔ１,ｔ２の差を決定する色温度差測度関数として、１０6／Ｔのような逆スケールを使用して色温度領域を変換した後、その差と定義できる。したがって、一実施例として、本発明ではＤ（ｔ１,ｔ２）＝｜１０6／ｔ１−１０6／ｔ２｜と定義され、逆スケール変換後に変換領域を量子化した後、量子区間の差と定義することもある。
【００３６】
このように、逆スケーリングを通じて色温度差を定義する理由は、ｔ１、ｔ２が全て高い色温度領域にある場合と低い色温度領域にある場合とを比較すれば、２つの場合でｔ１、ｔ２の色温度差が同じであっても、実際ユーザの感じの差は異なるためである。すなわち、色温度差の大きさが２００°Ｋで同じであるとしても、８００°Ｋと１０００°Ｋとの色温度をそれぞれ有する映像に対する視聴者の色温度差による感じは、１８００°Ｋと２０００°Ｋとの色温度をそれぞれ有する映像間の色温度差による感じよりはるかに大きく感じられる。
【００３７】
このような事項を考慮して、単純に｜ＴDC（ｋ）−ＴDC（ｋ−１）｜を色温度差として利用せず、前述したように、色温度測度関数を利用する。それ以外にも、その他の線形、非線形、連続、非連続スケーリングを通じてＤ（ｔ１,ｔ２）を定義できる。
【００３８】
前述したように、現在フレームのＤＣ映像の推定色温度ＴDC（ｋ）と以前フレームのＤＣ映像の推定色温度ＴDC（ｋ−１）との差が第１臨界値ｋ１より大きくなければ、現在フレームの適用色温度値Ｔ（ｋ）は、以前フレームの適用色温度値Ｔ（ｋ−１）に所定の補正関数値を加算して計算されるが、この時の所定の補正関数をｇ（ｔ1,ｔ2,ｔ3）という時、現在フレームの適用色温度Ｔ（ｋ）は、下記の数式によって決定される。
【００３９】
［数１］
Ｔ（ｋ）＝Ｔ（ｋ−１）＋ｇ（ＴDC（ｋ）,ＴDC（ｋ−１）,Ｔ（ｋ−１））
【００４０】
ここで、補正関数ｇ（ｔ1,ｔ2,ｔ3）は、色温度ｔ1,ｔ2,ｔ3及び色温度差測度関数に従属的に可変できる関数であって、最も簡単にｇ（ｔ1,ｔ2,ｔ3）＝ｔ1−ｔ2と定義されることもある（Ｓ２３５）。
【００４１】
一方、現在フレームのＤＣ映像の推定色温度ＴDC（ｋ）と以前フレームのＤＣ映像の推定色温度ＴDC（ｋ−１）との差が、第１臨界値ｋ１より大きければ、復号化器３０から現在フレームの復号化された原映像を受信し、色温度推定装置１０に備えられた色温度推定部１２に出力するか、独立して存在するか、または適応的色温度変換装置２０に含まれた色温度推定部４０に出力する。現在フレームの復号化された原映像を受信した色温度推定部１２または４０は、前記ＤＣ映像の色温度を推定する時と同じ方法を適用して復号化された映像の色温度を推定し、復号化された映像の推定色温度Ｔo（ｋ）を適用色温度決定部２１に出力する（Ｓ２３６）。
【００４２】
適用色温度決定部２１は、受信した復号化された映像の推定色温度Ｔo（ｋ）と現在フレームのＤＣ映像の推定色温度ＴDCとを色温度差測度関数に適用して色温度差Ｄ（ＴDC（ｋ）,Ｔo（ｋ）を求めた後、その値を人間が映像を視聴した時に大きくぎごちなさを感じないほどの色温度差に設定された第２臨界値ｋ２（本発明の望ましい実施例で２００°Ｋ）と比較する（Ｓ２３７）。
【００４３】
比較結果、色温度差が第２臨界値より大きくなければ、現在フレームのＤＣ映像から推定された色温度は、たとえ以前フレームのＤＣ映像の推定色温度とは臨界値ｋ１以上の色温度差を表すとしても、原映像の色温度と比較した時、人間が映像を視聴する時に受ける感じにはあまり差がないと判断されるので、現在フレームのＤＣ映像の推定色温度ＴDC（ｋ）を現在フレームの適用色温度Ｔ（ｋ）に決定する（Ｓ２３８）。
【００４４】
一方、色温度差が第２臨界値ｋ２より大きければ、ＤＣ映像の推定色温度と現在フレームの推定色温度との差が受容できないほどであるので、現在フレームの適用色温度Ｔ（ｋ）は、復号化された映像の推定色温度Ｔo（ｋ）に決定される（Ｓ２３９）。
【００４５】
もし、現在フレームが動画像の第１フレームであるか、ネットワークまたはシステムの事情上、その以前フレームのＤＣ映像の推定色温度をわからないフレームである場合には、第Ｓ２３６段階から行って適用色温度を決定する。
【００４６】
適用色温度決定部２１で決定された適用色温度は、色温度変換部２２に入力され、これと共にユーザ選好色温度が色温度変換部２２に入力される（Ｓ２４０）。ユーザ選好色温度は、ユーザが直接端末装置を通じて入力するか、または映像表示装置が多様な色温度の映像を提示した後にユーザに最も好む色温度を選択するようにでき、これ以外に、ユーザが既存の映像に対して選択した過去の色温度選好値によって決定されることもある。
【００４７】
適用色温度とユーザ選好色温度とを入力された色温度変換部２２は、復号化されて入力される各フレームの原映像に対して適用色温度からユーザ選好色温度への色温度変換を行う（Ｓ２５０）。
【００４８】
本発明に適用可能な色温度の変換方法を簡略に説明すれば、一般的なＴＶやモニターで使用する色温度を基準色温度に設定し、ユーザの選好色温度が入力されれば、基準色温度がユーザ選好色温度に変換されるものと設定する。所定の基準色温度が所定の写像方法によってユーザ選好色温度に変換される時、各フレームの適用色温度Ｔiが写像方法によって変換される出力映像の目標色温度Ｔtを求め、これらをＣＩＥ ＸＹＺ三刺激値ベクトルに変換した後、変換された両三刺激値ベクトル間の変換行列Ｍを求める。入力映像フレームの各画素のＲＧＢ値である（Ｒi,Ｇi,Ｂi）を線形ＲＧＢに変換し、これを再びＣＩＥ ＸＹＺのベクトルに変換した後、変換行列Ｍを適用する。変換行列Ｍを適用して得られたＣＩＥ ＸＹＺのベクトルを線形ＲＧＢに変換し、これを再び本来ＲＧＢに変換して色温度変換された映像が出力される。
【００４９】
本発明の色温度推定及び変換方法は、また、コンピュータ可読記録媒体にコンピュータ可読コードとして具現できる。コンピュータ可読記録媒体は、コンピュータシステムによって読出されるデータが保存される全ての種類の記録装置を含む。コンピュータ可読記録媒体の例としては、ＲＯＭ、ＲＡＭ、ＣＤ−ＲＯＭ、磁気テープ、フロッピーディスク、光データ保存装置があり、また、キャリアウェーブ（例えば、インターネットを通じた伝送）状に具現されるものも含む。また、コンピュータ可読記録媒体は、ネットワークに連結されたコンピュータシステムに分散され、分散方式でコンピュータ可読コードが保存されかつ実行されうる。
【００５０】
以上、本発明についてその望ましい実施例を中心に説明した。当業者は、本発明が本発明の本質的な特性から離脱しない範囲で変形された形に具現できることが分かる。したがって、開示された実施例は、限定的な観点ではなく、説明的な観点で考慮されなければならない。特に、本発明の望ましい実施例では、適用色温度が決定された後、ユーザ選好色温度が色温度変換部２２に入力される場合について説明したが、ユーザ選好色温度が色温度変換部２２に既入力された後に適用色温度が決定されても、本発明の目的を達成できるということが当業者なら分かる。
【００５１】
本発明の範囲は、前述した説明ではなく特許請求の範囲に現れており、それと同等な範囲内にある全ての差異点は、本発明に含まれていると解釈されなければならない。
【産業上の利用可能性】
【００５２】
本発明の圧縮映像の色温度変換方法及びシステムによれば、圧縮された入力映像の色温度を推定する時、圧縮映像を完全に復号化して得た映像を利用せずに圧縮映像のＤＣ成分から得られたＤＣ映像から色温度を推定して、圧縮された映像を完全に復号化する過程を省略することによって、色温度推定過程の演算の対象となる画素数を大幅減少させ、色温度の推定過程の処理速度と色温度の変換過程全体の処理速度とを向上させうる。それと共に、本発明は、ＤＣ映像から推定された色温度を利用して色温度変換を行う時、適応的な方法を適用してＤＣ映像から推定された色温度と原映像から推定された色温度との間の誤差による色温度変換のエラーを減少させうる。
【００５３】
前記本発明の色温度変換方法及びシステムは、各種デジタル映像コンテンツを保存し、これをユーザ端末に伝送して再生する全ての産業分野に適用されうる。
【図１】
2005532006.tif 000004
【図２】
2005532006.tif 000005
【図３Ａ】
2005532006.tif 000006
【図３Ｂ】
2005532006.tif 000007
【図４】
2005532006.tif 000008
【国際調査報告】
2005532006.tif 000009
2005532006.tif 000010